(57)【特許請求の範囲】
【請求項１】
ファンとこのファンを駆動するモータとを収納したケースと、
このケースの室内側に設けられた本体枠と、
を備えたパイプ用ファンにおいて、
前記ケースの前記本体枠側に本体枠側に突出するアーム部を設け、このアーム部の先端にＵ字状のケーブル押さえ部を設け、
前記本体枠の前記ケース側にＵ字状切欠きを形成し、
これらケーブル押さえ部とＵ字状切欠きによってモータの口出線を保持するようにしたことを特徴とするパイプ用ファン。
【請求項２】
前記本体枠に、前記Ｕ字切欠きに対して前記ケーブル押さえがケーブルを保持するのに適した位置に位置せしめられたときに、前記ケーブル押さえに当接する位置決めリブを設けたことを特徴とする請求項１に記載のパイプ用ファン。
【請求項３】
前記Ｕ字切欠きの側部と前記アーム部の側部に互いに係合する段部を設けたことを特徴とする請求項１に記載のパイプ用ファン。
【請求項４】
ファンとこのファンを駆動するモータとを収納したケースと、
このケースの室内側に設けられた本体枠と、
この本体枠の室内側前面に設けられた本体カバーと、
前記本体カバーと本体枠との間に装着されたフィルタと
を備えたパイプ用ファンにおいて、
前記本体カバー後面に、前記フィルタの外周部を固定するフィルタ固定用リブを前記本体カバーと一体に形成したことを特徴とするパイプ用ファン。
【請求項５】
前記フィルタは、このフィルタの前記フィルタ固定用リブに係合する部分が溶着されていることを特徴とする請求項４に記載のパイプ用ファン。
【請求項６】
前記フィルタは、このフィルタの前記フィルタ固定用リブに係合する部分の一部が溶着されていることを特徴とする請求項４に記載のパイプ用ファン。
【請求項７】
前記フィルタ固定用リブは、その先端にＲ部が設けられていることを特徴とする請求項４に記載のパイプ用ファン。
【請求項８】
前記フィルタ固定用リブは、その根本側から先端側に向かうにしたがい、前記本体カバーとの間の間隔が徐々に広くなるように傾斜して形成されていることを特徴とする請求項４に記載のパイプ用ファン。
【請求項９】
前記フィルタ固定用リブは、その先端部が、その根本側から先端側に向かうにしたがい前記本体カバーとの間の間隔が広くなるように傾斜して形成されていることを特徴とする請求項４に記載のパイプ用ファン。
【請求項１０】
前記フィルタ固定用リブには、その本体カバー側から本体枠側へ貫通する開口部が形成されていることを特徴とする請求項４に記載のパイプ用ファン。
【発明の詳細な説明】
【０００１】
【発明の属する技術分野】
本発明は、壁面に設けられたパイプに挿入して使用されるパイプ用ファンに関する。
【０００２】
【従来の技術及び解決しようとする課題】
パイプ用ファンとしては、例えば図１４及び図１５に示すようなものが提案されている。このパイプ用ファン１１は、ファン１３とこのファン１３を駆動するモータ１５と収納したケース１７と、このケース１７の室内側前面に設けられた本体枠１９とを有している。この本体枠１９の前面には、ギア２１によって駆動されるシャッタ２３と、フィルタ２５装着され、その外側には本体カバー組立２７が装着されている。この本体カバー組立２７は、本体枠１９の室内側前面に設けられた本体カバー２９と、この本体カバー２９の前面を覆うパネル３１とを有している。また、本体枠１９には、電装部品３３が取り付けられ、ケース１７の外周面には、スプリング３５が設けられている。
【０００３】
このようなパイプ用ファン１１は、図１５に示すように、壁３７の貫通口の内側に設けられたパイプ３９に挿入して取り付けられる。一方、壁３７の室外側には、外壁部材４１が設けられている。
【０００４】
このようなパイプ用ファン１１において、モータからの口出線は、別体に取り付けられたコードブッシュによって本体枠、本体カバー等に固定されていた。
【０００５】
しかしながら、かかる構成にあっては、組立に手間がかかるとともに、コードブッシュの取り付けを忘れるおそれがあるという問題点があった。
【０００６】
一方、このようなパイプ用ファン１１におけるフィルタ２５の取り付けは、図１６に示すように、本体カバー２９後面からフィルタを装着し、弾性体からなるワイヤ３６を本体カバ２９の係合部３８に係合することにによって行われていた。
【０００７】
しかしながら、かかる装着方法では、装着、組立に手間がかかるという問題点があった。また、ワイヤという異なる材質の部品を使用するため、リサイクル工程においてこのような部品の分離が必要となり、従ってリサイクルの推進に生涯になるという問題点もあった。
【０００８】
本発明は、かかる課題を解決するためになされたものであって、組立が容易で、リサイクルにも適したパイプ用ファンを提供することを目的としている。
【０００９】
【課題を解決するための手段】
本発明の第１の特徴は、ファンとこのファンを駆動するモータとを収納したケースと、このケースの室内側に設けられた本体枠とを備えたパイプ用ファンにおいて、前記ケースの前記本体枠側に本体枠側に突出するアーム部を設け、このアーム部の先端にＵ字状のケーブル押さえ部を設け、前記本体枠の前記ケース側にＵ字状切欠きを形成し、これらケーブル押さえ部とＵ字状切欠きによってモータの口出線を保持するようにしたことである。
【００１０】
本発明の第２の特徴は、前記本体枠に、前記Ｕ字切欠きに対して前記ケーブル押さえがケーブルを保持するのに適した位置に位置せしめられたときに、前記ケーブル押さえに当接する位置決めリブを設けたことである。
【００１１】
本発明の第３の特徴は、前記Ｕ字切欠きの側部と前記アーム部の側部に互いに係合する段部を設けたことである。
【００１２】
本発明の第４の特徴は、ファンとこのファンを駆動するモータとを収納したケースと、このケースの室内側に設けられた本体枠と、この本体枠の室内側前面に設けられた本体カバーと、前記本体カバーと本体枠との間に装着されたフィルタとを備えたパイプ用ファンにおいて、前記本体カバー後面に、前記フィルタの外周部を固定するフィルタ固定用リブを前記本体カバーと一体に形成したことである。
【００１３】
本発明の第５の特徴は、前記フィルタは、このフィルタの前記フィルタ固定用リブに係合する部分が溶着されていることである。
【００１４】
本発明の第６の特徴は、前記フィルタは、このフィルタの前記フィルタ固定用リブに係合する部分の一部が溶着されていることである。
【００１５】
本発明の第７の特徴は、前記フィルタ固定用リブは、その先端にＲ部が設けられていることである。
【００１６】
本発明の第８の特徴は、前記フィルタ固定用リブは、その根本側から先端側に向かうにしたがい、前記本体カバーとの間の間隔が徐々に広くなるように傾斜して形成されていることである。
【００１７】
本発明の第９の特徴は、前記フィルタ固定用リブは、その先端部が、その根本側から先端側に向かうにしたがい前記本体カバーとの間の間隔が広くなるように傾斜して形成されていることである。
【００１８】
本発明の第１０特徴は、前記フィルタ固定用リブには、その本体カバー側から本体枠側へ貫通する開口部が形成されていることである。
【００１９】
【発明の実施の形態】
以下、発明の実施の形態について図１ないし図１３を参照して説明する。これらの図において、従来例と同一構成の部分については同一符号を付しその説明を省略する。
【００２０】
図１及び図２は本発明の第１の実施の形態であるパイプ用ファンの本体枠４１とケース４３を示す図である。ケース４３には、モータ１５が装着されており、このモータ１５から口出線４５が延びている。このケース４３の本体枠４１側の下部には、本体枠４１側へ突出するアーム部４７が形成されており、このアーム部４７の先端には、Ｕ字状のケーブル押さえ部４９が設けられている。一方、本体枠４１のケース４３側には、Ｕ字状切欠き５１が形成されている。
【００２１】
このような構成において、図１にしめすように、口出線４５をＵ字状のケーブル押さえ部にはめ込んだ状態で、アーム部４７がＵ字状切欠き５１に嵌合するように、ケース４３を本体枠４１に装着する。このようにすると、図２に示すように、口出線４５は、本体枠４１のＵ字状切欠き５１の底部５１ａとＵ字状のケーブル押さえ部４９とによって把持されて固定される。
【００２２】
このように、この実施の形態にあっては、ケース４３の本体枠４１側の下部に本体枠４１側へ突出するアーム部４７を形成し、このアーム部４７の先端にＵ字状のケーブル押さえ部４９を設け、本体枠４１のケース４３側にＵ字状切欠き５１を形成しているから、組立が容易で作業性を向上させることができるとともに、取り付け忘れを防止することができる。
【００２３】
図３は、本発明の第２の実施の形態を示すものである。この実施の形態は、本体枠４１のＵ字状切欠き５１の底部５１ａ近傍に、位置決めリブ６１を設けている。この位置決めリブ６１の位置は、Ｕ字状切欠き５１とＵ字状のケーブル押さえ部４９とによって口出線４５が適切に把持されるときにＵ字状のケーブル押さえ部４９が当接するような位置である。
【００２４】
このように構成しているので、口出線４５を把持する際に、口出線４５を過度に押圧して潰してしまうことを防止することができる。
【００２５】
図４は、本発明の第３の実施の形態を示すものである。この実施の形態においては、Ｕ字切欠き５１の側部にこの側部に沿って段部７１を形成している。また、アーム部４７の両側部にもＵ字状切欠き５１側の段部７１に係合する段部７３を形成している。
【００２６】
このため、Ｕ字切欠き５１にアーム部４７を挿入した際に、双方の段部７１、７３が係合する。従って、アーム部４７がＵ字状切欠きから外れることを防止することができる。
【００２７】
図５は、本発明の第４の実施の形態を示すものである。この実施の形態において、本体カバー８１は、多数の開口部を有する底壁８３と、この底壁８３の四周から立ち上がった４つの側壁８５…を有している。このうち、対向する２つの側壁８５，８５には、底壁８５から所定間隔離間してそれぞれフィルタ固定用リブ８７、８７が一体に形成され、底壁８３との間に係合凹部８９を形成している。そして、フィルタ９１は、図６に示すように、その両端部９３，９３をフィルタ固定用リブ８７、８７によって形成された係合凹部８９に係合させて、本体カバー８１に固定される。
【００２８】
この実施の形態にあっては、本体カバー８１の側壁８５にフィルタ固定用リブ８７を一体に形成しているから、フィルタの装着、交換を容易に行うことができる。また、フィルタ固定用リブ８７と本体カバー８１とは同一の材質で一体に形成されているから、リサイクル工程において分別の必要がなく、リサイクルコストを低く抑えることができる。
【００２９】
図７は、本発明の第５の実施の形態を示すものである。この実施の形態においては、フィルタ９１の両端部９３，９３に溶着部１０１が形成されている。
【００３０】
このようにすることによって、フィルタ装着時に、フィルタ端部フィルタ固定用リブに引っかかるのを防止することができ、装着をスムーズに行うことができる。
【００３１】
図８は、本発明の第６の実施の形態を示すものである。この実施の形態においては、フィルタ９１の両端部９３，９３に部分的に溶着部１１１が形成されている。
【００３２】
このようにすることによって、フィルタの密度の高い部分を最小限におさえることでき、従ってフィルタ全体で空気を均一に流すことができ、フィルタの寿命を向上させることができる。
【００３３】
図９は、本発明の第７の実施の形態を示すものである。この実施の形態においては、フィルタ固定用リブ８７の先端部にＲ部１２１を形成している。
【００３４】
このようにすることによって、装着時にフィルタがフィルタ固定用リブに引っかかるのを防止することができ、フィルタの挿入性を向上させることができる。
【００３５】
図１０は、本発明の第８の実施の形態を示すものである。この実施の形態においては、フィルタ固定用リブ１３１は、その根本側から先端側に向かうにしたがい、本体カバー８１の底壁８３との間の間隔が徐々に広くなるように角度αだけ傾斜して形成されている。
【００３６】
このようにすることによって、フィルタの挿入性をさらに向上させることができる。
【００３７】
図１１は、本発明の第９の実施の形態を示すものである。この実施の形態においては、フィルタ固定用リブ１４１は、根本部１４３は底壁８３に平行に形成されているが、その先端部１４５は、その根本側から先端側に向かうにしたがい、本体カバー８１の底壁８３との間の間隔が広くなるように傾斜して形成されている。
【００３８】
このように構成することによって、先端部１４５でフィルタの挿入性を向上させることができるとともに、根本部１４３に挿入後は、フィルタを強く保持することができフィルタの外れを防止することができる。
【００３９】
図１２及び図１３は、本発明の第１０の実施の形態を示すものである。この実施の形態においては、フィルタ固定用リブ１５１には、その本体カバー８１側から本体枠１９側へ貫通する開口部１５３が形成されている。
【００４０】
このように構成されているから、フィルタ固定用リブ１５１においても開口部１５３を通って空気が流れる。従って、フィルタ全体の圧力損失を低下させることができ、風量、低騒音性能を向上させることができるとともに、寿命も向上させることができる。
【００４１】
【発明の効果】
以上説明したように、本発明にあっては、ケースの前記本体枠側に本体枠側に突出するアーム部を設け、このアーム部の先端にＵ字状のケーブル押さえ部を設けているから、組立が容易で作業性を向上させることができるとともに、取り付け忘れを防止することができる。また、本体カバー後面に、フィルタの外周部を固定するフィルタ固定用リブを本体カバーと一体に形成しているから、フィルタの装着、交換を容易に行うことができるとともに、リサイクル工程において分別の必要がなくリサイクルコストを低く抑えることができる。
【図面の簡単な説明】
【図１】本発明の第１の実施の形態のパイプ用ファンの本体枠とケースとを示す斜視図。
【図２】図１に示すＵ字状切欠きとケーブル押さえ部とによって口出線が把持された状態を示す断面図。
【図３】本発明の第２の実施の形態におけるＵ字状切欠きとケーブル押さえ部を示す斜視図。
【図４】本発明の第３の実施の形態におけるＵ字状切欠きとケーブル押さえ部を示す斜視図。
【図５】本発明の第４の実施の形態における本体カバーとフィルタを示す斜視図。
【図６】図５に示す本体カバーにフィルタを装着した状態を示す断面図。
【図７】本発明の第５の実施の形態におけるフィルタを示す断面図。
【図８】本発明の第６の実施の形態におけるフィルタの端部を示す斜視図。
【図９】本発明の第７の実施の形態におけるフィルタ固定用リブを示す断面図。
【図１０】本発明の第８の実施の形態におけるフィルタ固定用リブを示す断面図。
【図１１】本発明の第９の実施の形態におけるフィルタ固定用リブを示す断面図。
【図１２】本発明の第１０の実施の形態におけるフィルタ固定用リブを示す断面図。
【図１３】図１２に示すフィルタ固定用リブを示す斜視図。
【図１４】従来のパイプ用ファンを示す分解斜視図。
【図１５】従来のパイプ用ファンをパイプに挿入した状態を示す断面図。
【図１６】従来のパイプ用ファンにおける本体カバーへのフィルタの装着方法を示す斜視図。
【符号の説明】
１３  ファン
１５  モータ
４１  本体枠
４３  ケース
４５  口出線
４７  アーム部
４９  ケーブル押さえ部
５１  Ｕ字状切欠き
６１  位置決めリブ
７１  段部
７３  段部
８１  本体カバー
８７  フィルタ固定用リブ
１０１  溶着部
１１１  溶着部
１２１  Ｒ部
１３１  フィルタ固定用リブ
１４１  フィルタ固定用リブ
１４５  先端部
１５１  フィルタ固定用リブ
１５３  開口部
【図１】
0004112788.tif 000002
【図２】
0004112788.tif 000003
【図３】
0004112788.tif 000004
【図４】
0004112788.tif 000005
【図５】
0004112788.tif 000006
【図６】
0004112788.tif 000007
【図７】
0004112788.tif 000008
【図８】
0004112788.tif 000009
【図９】
0004112788.tif 000010
【図１０】
0004112788.tif 000011
【図１１】
0004112788.tif 000012
【図１２】
0004112788.tif 000013
【図１３】
0004112788.tif 000014
【図１４】
0004112788.tif 000015
【図１５】
0004112788.tif 000016
【図１６】
0004112788.tif 000017